(57)【特許請求の範囲】
【請求項１】
通信機能と音楽再生機能とを有する通信端末装置と無線通信を行う基地局装置であって、
信号を送受信する基地局側無線部と、
前記通信端末装置における、少なくとも音楽データの再生を優先する時間帯、曜日及び位置情報を含む条件を設定する基地局側条件設定手段と、
所定のメッセージを記憶する基地局側記憶手段と、
前記通信端末装置から音楽データの再生中であることを示す信号を受信した場合、前記通信端末装置に対して発呼があり、前記条件が満たされているときは、前記発呼元に対して前記メッセージを送出する基地局側制御手段とを備える基地局装置。
【請求項２】
前記基地局側制御手段は、前記通信端末装置から音楽データの再生中であることを示す信号を受信した場合、前記通信端末装置に対して発呼があり、前記条件が満たされているときは、前記通信端末装置から音楽データの再生が終了したことを示す信号を受信したときに前記通信端末装置に対して前記発呼があった旨を通知する請求項１記載の基地局装置。
【請求項３】
前記基地局側制御手段は、前記通信端末装置から音楽データの再生中であることを示す信号を受信した場合、前記通信端末装置に対して発呼があり、前記条件が満たされているときは、前記通信端末装置から音楽データの再生が終了したことを示す信号を受信したときに前記通信端末装置に対して発呼側の電話番号を通知する請求項１記載の基地局装置。
【発明の詳細な説明】
【０００１】
【発明の属する技術分野】
本発明は、通信機能と音楽再生機能とを有する基地局装置に関する。
【０００２】
【従来の技術】
従来、例えば、ＭＰ３プレイヤのように、所定の圧縮形式で圧縮された音楽データを復調し音声として出力する携帯型音楽再生装置が知られている。一方、近年の技術革新により、半導体メモリの大容量化、低価格化が図られると共に、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の通信端末装置の小型化、多機能化が図られている。また、これらの通信端末装置は急速に普及しつつあり、相当数のユーザが見込まれている。
【０００３】
しかし、ユーザは、通信をするためには通信端末装置を、音楽を聴くためには携帯型音楽再生装置をぞれぞれ携帯しなければならず、両方を持ち歩くのは面倒であった。このため、両者を合体して音楽再生機能と通信機能との双方の機能を持った装置が望まれる。
【０００４】
【発明が解決しようとする課題】
通信機能と音楽再生機能とを併せ持った通信端末装置では、音楽再生中に着信があることが想定される。音楽再生中に着信があった場合、ユーザが、着信に邪魔されずに音楽を聞きたいと思っている場合には、着信があっても着信音を発する等の報知は行わないで自動的に相手方に応答し、音楽の再生を継続できることが望ましい。また、ユーザが音楽の再生よりも通話を優先させたいと考えている場合には、着信があったときに音楽の再生を停止して着信の報知を行うことが望ましい。そして、通話又は音楽の再生のどちらを優先するかを自動的に判断し、切り替えることが好ましい。
【０００５】
本発明は、このような事情に鑑みてなされたものであり、音楽再生中に着信があったときは、所定の条件に応じて音楽の再生と着信の報知とを自動的に切り替えることができる基地局装置を提供することを目的とする。
【００１６】
請求項１記載の基地局装置の発明は、通信機能と音楽再生機能とを有する通信端末装置と無線通信を行う基地局装置であって、信号を送受信する基地局側無線部と、通信端末装置における、少なくとも音楽データの再生を優先する時間帯、曜日及び位置情報を含む条件を設定する基地局側条件設定手段と、所定のメッセージを記憶する基地局側記憶手段と、通信端末装置から音楽データの再生中であることを示す信号を受信した場合、通信端末装置に対して発呼があり、条件が満たされているときは、発呼元に対してメッセージを送出する基地局側制御手段とを備える構成を採る。
【００１７】
この構成により、音楽再生中である通信端末装置に対して発呼があった場合に、予め設定された条件に応じて、着呼を行うか、或いは着呼を行わないかを自動的に切り替えることができる。その結果、ユーザは煩わしい操作をする必要が無くなり、音楽の再生を継続することができる。また、発信元に対してメッセージが自動的に送出されるので、ユーザは、着信音等に邪魔されずに音楽の再生を継続することができると共に、発信元に対しては自動的に応答することができる。一方、ユーザが音楽の再生よりも通話を優先させたいと考えている場合には、発呼があったときに着呼を報知するので、ユーザは、着信があったことを知ることができる。また、条件設定手段を基地局装置に持たせることによって、通信端末装置の構成の簡略化、及び低コスト化を図ることができる。さらに、通信端末装置に対して発呼があり、条件が満たされているときは、発呼元に対してメッセージを送出するので、発呼を受けた通信端末装置には何の通知も行わない。このため、基地局装置と通信端末装置との間での無意味な通信が排除され、通信トラフィックの軽減、及びスループットの向上を図ることが可能となる。
【００１８】
請求項２記載の発明は、請求項１記載の基地局装置において、基地局側制御手段は、通信端末装置から音楽データの再生中であることを示す信号を受信した場合、通信端末装置に対して発呼があり、条件が満たされているときは、通信端末装置から音楽データの再生が終了したことを示す信号を受信したときに通信端末装置に対して発呼があった旨を通知する構成を採る。
【００１９】
この構成により、音楽データの再生が終了したこと示す信号を受信したときに、発呼があった旨が報知されるので、ユーザは着呼を知ることができる。すなわち、通信端末装置における音楽再生中に発呼があり、所定の条件が満たされているときは、着呼は報知されないため、ユーザは着呼があったことは気付かない。このため、音楽の再生が終了したことを示す信号を受信した段階で着呼があった旨を報知することとした。
【００２０】
請求項３記載の発明は、請求項１記載の基地局装置において、基地局側制御手段は、通信端末装置から音楽データの再生中であることを示す信号を受信した場合、通信端末装置に対して発呼があり、条件が満たされているときは、通信端末装置から音楽データの再生が終了したことを示す信号を受信したときに通信端末装置に対して発呼側の電話番号を通知する構成を採る。
【００２１】
このように、通信端末装置における音楽データの再生中に発呼があり、条件が満たされている場合は、通信端末装置から音楽データの再生が終了したことを示す信号を受信したときに、発呼側の電話番号が通信端末装置に報知されるので、ユーザは、発呼側の電話番号を知ることができる。
【００２４】
【発明の実施の形態】
以下、本発明の実施の形態に係る通信システムについて、図面を参照しながら説明する。この通信システムは、通信端末装置と、基地局装置とから構成される。通信端末装置は、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等が含まれる。ここでは、ＰＨＳを例にとって説明する。また、基地局装置は、ＰＨＳと無線通信を行う。
【００２５】
（実施の形態１）
図１は、実施の形態１に係る通信システムにおけるＰＨＳの概略構成を示すブロック図である。実施の形態１に係るＰＨＳは、通信機能と音楽再生機能とを併せて有している。まず、通信機能に係る部分の構成について説明する。このＰＨＳ１は、アンテナ２で電波を送信又は受信する。無線部３は、受信時には、アンテナ２で捕らえられた所定の周波数の受信信号をダウンコンバートし、π／４シフトＱＰＳＫ（Ｑｕａｄｒａｔｕｒｅ  Ｐｈａｓｅ  Ｓｈｉｆｔ  Ｋｅｙｉｎｇ）信号を出力する。一方、送信時には、入力されたπ／４シフトＱＰＳＫ信号をアップコンバートし、所定の周波数の送信信号をアンテナ２に出力する。
【００２６】
ディジタル変復調部４は、受信時には、無線部３から入力されたπ／４シフトＱＰＳＫ信号に対して復調処理を施し、受信データを出力する。一方、送信時には、入力された送信データに対して変調処理を施し、π／４シフトＱＰＳＫ信号を出力する。
【００２７】
ＴＤＭＡ処理部５は、受信時には、ディジタル変復調部４から入力された受信データ、すなわち、複数スロットの時分割多重データより予め設定された下りスロットのデータを選択し、制御データ及び圧縮音声データに分離する。一方、送信時には、入力された圧縮音声データ、及び制御データを予め設定された上りスロットに多重する。
【００２８】
音声コーデック部６は、受信時には、ＴＤＭＡ処理部５から入力される音声圧縮データに対して復号化処理（誤り訂正処理を含む）を施して受信音声信号を出力する。一方、送信時には、入力された送信音声信号に対し、圧縮符号化処理（誤り訂正符号の付加処理を含む）を施して圧縮音声データを出力する。
【００２９】
低周波アンプ７は、音声コーデック部６から入力された受信音声信号を増幅し、スピーカ８は、低周波アンプ７の出力音声信号による音声を出力する。また、送話器としてのマイクロホン９は、音声信号を入力し、低周波アンプ１０は、マイクロホン９から入力された音声信号を増幅して音声コーデック部６に出力する。
【００３０】
制御部１１は、システム全体を制御する。また、制御部１１は、動作プログラム等が書き込まれているＲＯＭ（Ｒｅａｄ  Ｏｎｌｙ  Ｍｅｍｏｒｙ）１１ａと、無線通信を行う基地局に関する情報等を記憶するＲＡＭ（Ｒａｎｄｏｍ  Ａｃｃｅｓｓ  Ｍｅｍｏｒｙ）１１ｂとを備えている。また、不揮発性メモリ１２は、電話帳データ等の各種のデータを記憶する。
【００３１】
呼出音出力部１３は、着信時に制御部１１の制御によって所定の呼出音を出力する。この所定の呼出音とは、電話のベルの他、電子アラーム音、いわゆる「着メロ」と呼ばれる音楽を含む。呼出音出力部１３は、マナーモードにおける振動の出力も可能となっている。
【００３２】
操作部１４は、例えば、発信を指示したり、着信時に応答するための通話キー、通話を終了するための終話キー、電話番号を入力するためのテンキー、電話帳データを検索するためのキー等、ユーザが各種の操作を行うためのキーを備えている。
【００３３】
表示部１５は、例えば、液晶表示器等で構成され、モノクロ又はカラーによる画像の表示を行う。この表示部１５には、システムの状態の他に、電話帳データの検索で選択された電話帳データ、テンキーで入力される電話番号等が表示される。また、着信があったときに画面の点滅や所定の表示を行って、着信の報知を行うことも可能である。これらの不揮発性メモリ１２、呼出音出力部１３、操作部１４、及び表示部１５は、それぞれ制御部１１に接続されている。
【００３４】
次に、本実施の形態に係るＰＨＳの音楽再生機能に係る部分について説明する。半導体メモリ１６は、書き換え可能でリムーバブルな半導体記憶メディアである。例えば、フラッシュカード等が該当する。この半導体メモリ１６にＭＰ３（ＭＰＥＧ  Ａｕｄｉｏ  Ｌａｙｅｒ３）等の圧縮技術を用いて圧縮した音楽データを格納する。ＭＰ３の圧縮技術を用いてデータを圧縮すると、音質の劣化は僅かであるにもかかわらず、通常のＰＣＭ信号に比べておよそ１０分の１程度のデータ量にまで圧縮できるため、半導体メモリ１６等の小容量のメディアを用いても十分な音楽再生時間を確保することが可能である。
【００３５】
ＭＰ３デコーダ１７は、ＤＳＰ（Ｄｉｇｉｔａｌ  Ｓｉｇｎａｌ  Ｐｒｏｃｅｓｓｏｒ）等の半導体回路を備え、半導体メモリ１６に格納されている音楽データを読み出し、ＰＣＭ信号に伸長して出力する。
【００３６】
ヘッドホンアンプ１８は、ＤＡＣ（Ｄｉｇｉｔａｌ  ｔｏ  Ａｎａｌｏｇ  Ｃｏｎｖｅｒｔｅｒ）と、ローパスフィルタとを備えており、ＭＰ３デコーダ１７から入力されたＰＣＭ信号に対してディジタル／アナログ変換を行い、アナログ信号に復調する。また、復調されたアナログ信号を十分な音量で再生できる振幅値まで増幅して出力する。
【００３７】
ヘッドホンジャック１９は、外部出力端子である。すなわち、スピーカ８の代りに図示しないヘッドホン等の外部再生機器に信号を出力するための信号端子である。通常、ヘッドホンジャック１９にヘッドホン側の端子を接続した場合は、スピーカ８の駆動が停止するように構成されている。図１に示すように、ヘッドホンジャック１９には、低周波アンプ７の出力信号、及びヘッドホンアンプ１８の出力信号の双方が入力され、ユーザは、これらをヘッドホンで聞くことが可能である。なお、以上の半導体メモリ１６、ＭＰ３デコーダ１７、ヘッドホンアンプ、及びヘッドホンジャック１９は、制御部１１による制御を受ける。
【００３８】
また、制御部１１は、ＭＰ３デコーダ１７によって音楽データの再生が開始されると、音楽データの再生を開始した旨の信号を送出し、ＭＰ３デコーダ１７による音楽データの再生が終了すると、音楽データの再生が終了した旨の信号を送出する。音楽データの再生を開始した旨の信号、及び音楽データの再生が終了した旨の信号は、制御部１１の制御によって、ＴＤＭＡ処理部５、ディジタル変復調部４、及び無線部３を介して送出される。
【００３９】
図２は、実施の形態１に係る通信システムにおける基地局装置の概略構成を示すブロック図である。この基地局装置２０は、アンテナ２１で電波を送信又は受信する。基地局側無線部２２は、受信時には、アンテナ２１で捕らえられた所定の周波数の受信信号をダウンコンバートし、π／４シフトＱＰＳＫ（Ｑｕａｄｒａｔｕｒｅ  Ｐｈａｓｅ  Ｓｈｉｆｔ  Ｋｅｙｉｎｇ）信号を得る。また、得られたπ／４シフトＱＰＳＫ信号に対して復調処理を施し、受信データを得る。さらに、得られた受信データ、すなわち、複数スロットの時分割多重データより予め設定された上りスロットのデータを選択し、制御データ及び圧縮音声データに分離する。一方、送信時には、入力された圧縮音声データ、及び制御データを予め設定された下りスロットに多重し、送信データを得る。この送信データに対して変調処理を施し、π／４シフトＱＰＳＫ信号を得て、さらにこのπ／４シフトＱＰＳＫ信号をアップコンバートし、所定の周波数の送信信号をアンテナ２１に出力する。
【００４０】
有線通信インタフェース２３は、基地局装置２０が図示しない交換機とケーブル等を介して有線通信するためのインタフェースである。この有線通信インタフェース２３によって、基地局装置２０と無線通信を行うＰＨＳ１が公衆回線に接続される。
【００４１】
基地局側制御手段２４は、基地局装置２０内のあらゆる部分を制御する。実施の形態１では、基地局側制御手段２４には、基地局側記憶手段２５と、基地局側条件設定手段２６とが設けられている。
【００４２】
基地局側記憶手段２５は、所定のメッセージを記憶する。例えば、「おかけになった電話番号には現在接続することができません。しばらく経ってからおかけ直し下さい。」や、「現在電話に出ることができませんので、後でこちらからおかけします。」などのメッセージが記憶されている。このメッセージは、基地局側記憶手段２５内に予め複数用意されており、ユーザがＰＨＳ１を介して希望するメッセージを指定することができる。また、ユーザがＰＨＳ１から基地局装置２０に接続し、基地局側記憶手段２５に自分の声をメッセージとして記憶させることもできる。
【００４３】
基地局側条件設定手段２６は、基地局側無線部２２がＰＨＳ１から音楽データの再生を開始したことを示す信号を受信した場合、ＰＨＳ１に対して他のＰＨＳから発呼があったときに、ＰＨＳ１に対して着呼を報知しない条件を設定する。すなわち、ＰＨＳ１において、音楽の再生を優先するための条件を設定するものである。この条件としては、例えば、一定の時間帯、曜日、位置情報などが設定される。例えば、一定の時間帯が設定された場合は、その時間帯の間にＰＨＳ１から音楽データの再生を開始したことを示す信号を受信し、他のＰＨＳからそのＰＨＳ１に対して発呼があったときは、ＰＨＳ１に対しては、基地局装置２０は着呼を報知しない。曜日に関しても同様であり、条件設定された曜日に、ＰＨＳ１から音楽データの再生を開始したことを示す信号を受信し、他のＰＨＳからＰＨＳ１に対して発呼があったときは、ＰＨＳ１に対しては、基地局装置２０は着呼を報知しない。また、位置情報が設定された場合は、その位置を中心とした一定の範囲内にＰＨＳ１がある場合、ＰＨＳ１から音楽データの再生を開始したことを示す信号を受信し、他のＰＨＳからＰＨＳ１に対して発呼があったときは、ＰＨＳ１に対しては、基地局装置２０は着呼を報知しない。これにより、ＰＨＳ１において、音楽の再生を優先する条件を設定することができる。
【００４４】
次に、以上のように構成された実施の形態１に係る通信システムの動作について、図３及び図４のタイミングチャートを参照して説明する。ここでは、基地局側条件設定手段２６には、ＰＨＳ１における音楽の再生を優先する条件として、一定の時間帯が設定されているものとして説明する。基地局装置２０では、基地局側制御手段２４が、基地局側条件設定手段２６に設定されている条件を参照し、この条件を満たしているかどうか、すなわち、音楽の再生を優先する時間帯であるかどうかを監視している（ステップＳ１）。音楽の再生を優先する時間帯でない場合は、図４に示すＢに移行し、音楽の再生を優先する時間帯である場合は、ＰＨＳ１からの音楽再生中信号の受信を待機する。一方、ＰＨＳ１において、音楽データの再生が開始されると（ステップＳ２）、音楽の再生が開始されたことを示す信号がＰＨＳ１から基地局装置２０へ送出される（ステップＳ３）。
【００４５】
基地局装置２０では、ＰＨＳ１から音楽の再生が開始されたことを示す信号を受信すると、現在、ＰＨＳ１では音楽の再生が行われているため、ＰＨＳ１に対して発呼があっても、ＰＨＳ１に対して着呼を報知することはしない。すなわち、発呼側の通信端末装置から基地局装置２０に対して発呼があると（ステップＳ４）、基地局装置２０は、所定のメッセージを送出する（ステップＳ５）。例えば、「おかけになった電話番号には現在接続することができません。しばらく経ってからおかけ直し下さい。」や、「現在電話に出ることができませんので、後でこちらからおかけします。」などのメッセージが送出される。以上のように、基地局装置２０は、ＰＨＳ１から音楽の再生が終了したことを示す信号を受信するまで、ＰＨＳ１に対する発呼があっても、ＰＨＳ１に着呼を報知しないで、発呼側の通信端末装置に対して所定のメッセージを送出する。
【００４６】
このように、音楽再生中であるＰＨＳ１に対して発呼があった場合に、予め設定された条件に応じて、着呼を行うか、或いは着呼を行わないかを自動的に切り替えることができる。その結果、ユーザは煩わしい操作をする必要が無くなり、音楽の再生を継続することができる。また、発呼側の通信端末装置に対してメッセージが自動的に送出されるので、ユーザは、着信音等に邪魔されずに音楽の再生を継続することができると共に、発呼側の通信端末装置に対しては自動的に応答することができる。また、条件設定手段を基地局装置２０に持たせることによって、ＰＨＳ１の構成の簡略化、及び低コスト化を図ることができる。さらに、ＰＨＳ１に対して発呼があり、条件が満たされているときは、発呼元に対してメッセージを送出するので、発呼を受けたＰＨＳ１には何の通知も行わない。このため、基地局装置２０とＰＨＳ１との間での無意味な通信が排除され、通信トラフィックの軽減、及びスループットの向上を図ることが可能となる。
【００４７】
次に、ＰＨＳ１における音楽の再生が終了すると（ステップＳ６）、ＰＨＳ１から基地局装置２０に対して音楽の再生が終了したことを示す信号が送出される（ステップＳ７）。基地局装置２０では、ＰＨＳ１から音楽の再生が終了したことを示す信号を受信すると、音楽再生中に着呼があった旨を通知し、併せて発呼側の通信端末装置の電話番号を通知する（ステップＳ８）。ＰＨＳ１では、音楽再生中に着呼があった旨が報知される。この報知方法としては、着信音を発する、振動を加える、表示部１５の画面を点滅する等の各種の手段を採ることが可能である。また、基地局装置２０から発呼元の電話番号が通知されると、表示部１５にその電話番号が表示される（ステップＳ９）。
【００４８】
このように、基地局装置２０では、音楽データの再生が終了したこと示す信号を受信したときに、発呼があった旨がＰＨＳ１側に報知されるので、ユーザは着呼を知ることができる。すなわち、ＰＨＳ１における音楽再生中に発呼があり、所定の条件が満たされているときは、着呼は報知されないため、ユーザは着呼があったことは気付かない。このため、音楽の再生が終了したことを示す信号を受信した段階で着呼があった旨を報知することとした。
【００４９】
また、ＰＨＳ１における音楽データの再生中に発呼があり、条件が満たされている場合は、基地局装置２０では、ＰＨＳ１から音楽データの再生が終了したことを示す信号を受信したときに、発呼側の電話番号をＰＨＳ１に報知するので、ユーザは、発呼側の電話番号を知ることができる。
【００５０】
次に、ユーザは、着信及び発呼元電話番号の通知を受けたことにより、その電話番号を用いて発呼をするかどうかを判断する（ステップＳ１０）。ユーザが発呼しない場合は、終了となり、発呼した場合は、基地局装置２０において、発呼処理が行われる（ステップＳ１１）。基地局装置２０では、発呼側の通信端末装置に対して着呼を報知し、その通信端末装置では、着呼、及び着信の報知が行われる（ステップＳ１２）。その着信の報知に対して相手側が応答しない場合は終了し、応答した場合は、ＰＨＳ１のユーザとの通話が可能となる。
【００５１】
一方、図４に示すステップＳ１において、基地局側制御手段２４が、基地局側条件設定手段２６に設定されている条件を参照し、この条件を満たしているかどうか、すなわち、音楽の再生を優先する時間帯であるかどうかを監視し（ステップＳ１）、音楽の再生を優先する時間帯である場合は、図３に示すＡに移行し、音楽の再生を優先する時間帯でない場合は、通常の処理を行う。すなわち、ＰＨＳ１が音楽の再生を開始すると（ステップＳ１５）、ＰＨＳ１から基地局装置２０に対して音楽の再生を開始したことを示す信号が送出される（ステップＳ１６）。基地局装置２０は、ＰＨＳ１が音楽の再生を開始したことを認識するが、ステップＳ１における条件が満たされていないため、発呼側の通信端末装置からＰＨＳ１に対して発呼があると（ステップＳ１７）、ＰＨＳ１に対して着呼を通知する（ステップＳ１８）。ＰＨＳ１では、着呼の通知があると、着呼処理を行い（ステップＳ１９）、着信の報知を行う（ステップＳ２０）。
【００５２】
着信の報知に対してユーザが応答するかどうかを判断し（ステップＳ２１）、応答しない場合は終了し、応答した場合は、ＰＨＳ１から基地局装置２０を介して発呼側の通信端末装置に対して応答信号が送出される（ステップＳ２２）。発呼側の通信端末装置では、通話移行処理が行われ（ステップＳ２３）、通話が可能となる（ステップＳ２４）。
【００５３】
このように、音楽の再生を優先する時間帯以外の場合は、発呼があったときに着呼が報知される。これにより、ユーザは、音楽の再生中であっても着信があったことを知ることができる。また、ユーザが音楽の再生よりも通話を優先させたいと考えている場合には、条件に設定を解除すれば、音楽の再生中に着信があったときに着呼が通知される。
【００５４】
（実施の形態２）
次に、実施の形態２に係る通信システムについて、図５及び図６を参照して説明する。実施の形態２では、実施の形態１に係る基地局装置２０の「基地局側記憶手段」と、「基地局側条件設定手段」を取り外し、その代わりにＰＨＳ１側にそれぞれに該当する機能を持たせている。すなわち、ＰＨＳ１における不揮発性メモリ１２が所定のメッセージを記憶し、制御部１１が条件を設定する。設定された条件は、不揮発性メモリ１２に格納される。
【００５５】
ここでの条件とは、実施の形態１と同様に、ＰＨＳ１に対して他のＰＨＳから発呼があったときに、ＰＨＳ１に対して着呼を報知しない条件を意味する。すなわち、ＰＨＳ１において、音楽の再生を優先するための条件である。この条件としては、例えば、一定の時間帯、曜日、位置情報などが設定される。例えば、一定の時間帯が設定された場合は、他のＰＨＳからそのＰＨＳ１に対して発呼があったときは、ＰＨＳ１に対しては、基地局装置２０は着呼を報知しない。曜日に関しても同様であり、条件設定された曜日に、他のＰＨＳからＰＨＳ１に対して発呼があったときは、ＰＨＳ１に対しては、基地局装置２０は着呼を報知しない。また、位置情報が設定された場合は、その位置を中心とした一定の範囲内にＰＨＳ１がある場合、他のＰＨＳからＰＨＳ１に対して発呼があったときは、ＰＨＳ１に対しては、基地局装置２０は着呼を報知しない。これにより、ＰＨＳ１において、音楽の再生を優先する条件を設定することができる。その他の構成は、実施の形態１と同様であるため、構成の説明を省略する。
【００５６】
図５及び図６は、実施の形態２に係る通信システムのタイミングチャートである。ここでは、ＰＨＳ１には、音楽の再生を優先する条件として、一定の時間帯が設定されているものとして説明する。ＰＨＳ１では、制御部１１が、不揮発性メモリ１２に格納されている条件を参照し、この条件を満たしているかどうか、すなわち、音楽の再生を優先する時間帯であるかどうかを監視している（ステップＴ１）。音楽の再生を優先する時間帯でない場合は、図６に示すＤに移行し、音楽の再生を優先する時間帯である場合は、以下のような処理を行う。
【００５７】
すなわち、ＰＨＳ１において、音楽の再生が開始され（ステップＴ２）、発呼側の通信端末装置から基地局装置２０に発呼があり（ステップＴ４）、基地局装置２０からＰＨＳ１に着呼信号が送出される（ステップＴ５）。ＰＨＳ１が基地局装置２０からの着呼信号を受信すると、ＰＨＳ１では、着呼処理及び発番（発呼側の電話番号）を記憶する（ステップＴ５）。次に、発呼側の通信端末装置に対して、所定のメッセージを送出する（ステップＴ６）。例えば、「おかけになった電話番号には現在接続することができません。しばらく経ってからおかけ直し下さい。」や、「現在電話に出ることができませんので、後でこちらからおかけします。」などのメッセージが送出される。その後、ＰＨＳ１では、自動的に切断処理がなされる（ステップＴ７）。
【００５８】
このように、音楽データの再生中に着信が検出され、条件が満たされている場合は、発信元に対してメッセージが自動的に送出されるので、ユーザは、着信音等に邪魔されずに音楽の再生を継続することができると共に、発信元に対しては自動的に応答することができる。
【００５９】
次に、ＰＨＳ１における音楽の再生が終了すると（ステップＴ８）、ユーザに対して音楽の再生中に着呼があったことが報知され、併せて発呼側の通信端末装置の電話番号が報知される（ステップＴ９）。
【００６０】
このように、音楽データの再生が終了したときに、着信があった旨が報知されるので、ユーザは着信があったことを知ることができる。すなわち、音楽再生中に着信があり、所定の条件が満たされているときは、着信は報知されないため、ユーザは着信があったことは気付かない。このため、音楽の再生が終了した段階で着信があった旨を報知することとした。
【００６１】
また、音楽データの再生が終了したときに、検出された電話番号が報知されるので、ユーザは、発信元の電話番号を知ることができる。
【００６２】
次に、ユーザがその電話番号に対して発呼をするかどうかを判断し（ステップＴ１０）、発呼しない場合は終了する。発呼した場合は、基地局装置２０が着呼信号を発呼側の通信端末装置へ送出し（ステップＴ１１）、発呼側の通信端末装置では、着呼処理及び着信報知が行われる（ステップＴ１２）。発呼側の通信端末装置では、着信に対して応答があるかどうかを判断し（ステップＴ１３）、応答が無い場合は終了する。応答があった場合は、ＰＨＳ１と発呼側の通信端末装置との間で通話が可能となる。
【００６３】
一方、図６に示すステップＴ１において、制御部１１が、不揮発性メモリ１２に設定されている条件を参照し、この条件を満たしているかどうか、すなわち、音楽の再生を優先する時間帯であるかどうかを監視し（ステップＴ１）、音楽の再生を優先する時間帯である場合は、図５に示すＣに移行し、音楽の再生を優先する時間帯でない場合は、通常の処理を行う。すなわち、ＰＨＳ１が音楽の再生を開始し（ステップＴ１５）、発呼側の通信端末装置からＰＨＳ１に対して発呼があると（ステップＴ１６）、基地局装置２０は、ＰＨＳ１に対して着呼を通知する（ステップＴ１７）。ＰＨＳ１では、ステップＴ１における判断で条件が満たされていないため、着呼の通知があると、着呼処理を行う（ステップＴ１８）。制御部１１は、ＭＰ３デコーダ１７に対して音楽の再生を停止する指示を与え、音楽の再生が停止する（ステップＴ１９）。そして、着信の報知を行う（ステップＴ２０）。
【００６４】
着信の報知に対してユーザが応答するかどうかを判断し（ステップＴ２１）、応答しない場合は終了し、応答した場合は、ＰＨＳ１から基地局装置２０を介して発呼側の通信端末装置に対して応答信号が送出される（ステップＴ２２）。発呼側の通信端末装置では、通話移行処理が行われ（ステップＴ２３）、通話が可能となる（ステップＴ２４）。
【００６５】
このように、音楽の再生を優先する時間帯以外の場合は、発呼があったときに着呼が報知される。これにより、ユーザは、音楽の再生中であっても着信があったことを知ることができる。また、ユーザが音楽の再生よりも通話を優先させたいと考えている場合には、条件に設定を解除すれば、音楽の再生中に着信があったときに着呼が通知される。
【００６６】
このように、本実施の形態に係る通信システムによれば、音楽再生中に着信があった場合に、予め設定された条件に応じて、音楽の再生を継続するのか、或いは音楽の再生を停止して着信を報知するのかを自動的に切り替えることができるので、ユーザは煩わしい操作をする必要が無くなる。その結果、ユーザが着信に邪魔されずに音楽を聞きたいと思っている場合には、着信があっても着信音を発する等の報知は行わないで音楽の再生を継続することができる。一方、ユーザが音楽の再生よりも通話を優先させたいと考えている場合には、着信があったときに音楽の再生を停止して着信の報知を行うことができる。
【００６７】
【発明の効果】
以上説明したように、本発明に係る基地局装置は、通信機能と音楽再生機能とを有する通信端末装置と無線通信を行う基地局装置であって、信号を送受信する基地局側無線部と、前記通信端末装置における、少なくとも音楽データの再生を優先する時間帯、曜日及び位置情報を含む条件を設定する基地局側条件設定手段と、所定のメッセージを記憶する基地局側記憶手段と、前記通信端末装置から音楽データの再生中であることを示す信号を受信した場合、前記通信端末装置に対して発呼があり、前記条件が満たされているときは、前記発呼元に対して前記メッセージを送出する基地局側制御手段とを備えるものである。
【００６８】
この構成により、音楽再生中に着信があった場合に、予め設定された条件に応じて、音楽の再生を継続するのか、或いは音楽の再生を停止して着信を報知するのかを自動的に切り替えることができるので、ユーザは煩わしい操作をする必要が無くなる。その結果、ユーザが着信に邪魔されずに音楽を聞きたいと思っている場合には、着信があっても着信音を発する等の報知は行わないで音楽の再生を継続することができる。一方、ユーザが音楽の再生よりも通話を優先させたいと考えている場合には、着信があったときに音楽の再生を停止して着信の報知を行うことができる。
【図面の簡単な説明】
【図１】実施の形態１に係る通信システムにおけるＰＨＳの概略構成を示すブロック図である。
【図２】実施の形態１に係る通信システムにおける基地局装置の概略構成を示すブロック図である。
【図３】実施の形態１に係る通信システムの動作を示すタイミングチャートである。
【図４】実施の形態１に係る通信システムの動作を示すタイミングチャートである。
【図５】実施の形態２に係る通信システムの動作を示すタイミングチャートである。
【図６】実施の形態２に係る通信システムの動作を示すタイミングチャートである。
【符号の説明】
１…ＰＨＳ、２…アンテナ、３…無線部、４…ディジタル変復調部、５…ＴＤＭＡ処理部、６…音声コーデック部、７…低周波アンプ、８…スピーカ、９…マイクロホン、１０…低周波アンプ、１１…制御部、１１ａ…ＲＯＭ、１１ｂ…ＲＡＭ、１２…不揮発性メモリ、１３…呼出音出力部、１４…操作部、１５…表示部、１６…半導体メモリ、１７…ＭＰ３デコーダ、１８…ヘッドホンアンプ、１９…ヘッドホンジャック、２０…基地局装置、２１…アンテナ、２２…基地局側無線部、２３…有線通信インタフェース、２４…基地局側制御手段、２５…基地局側記憶手段、２６…基地局側条件設定手段。
【図１】
0004415171.tif 000002
【図２】
0004415171.tif 000003
【図３】
0004415171.tif 000004
【図４】
0004415171.tif 000005
【図５】
0004415171.tif 000006
【図６】
0004415171.tif 000007